(57)【要約】【課題】  袋体胴部と底部との接合を改良し、胴部と底部における部分強度を上げると共に、生産性が向上し経済性にも優れた医療排液回収容器用袋体を提供する。【解決手段】  略円形の底部と上端を開口した略円筒状の胴部とからなる軟質プラスチック製の可撓性を有する袋体と、該袋体の上端に嵌入され嵌入部外周縁で固着される硬質プラスチック製の蓋体とからなる医療排液回収容器において、前記袋体の底部が、前記略円筒状の胴部の下端周縁を袋体の内側方向に折曲形成した溶着縁と略円形の底部部材の外周端縁とを溶着して形成されることを特徴とする医療排液回収容器用袋体。【選択図】        図１
2006175015.tif 000002
【特許請求の範囲】
【請求項１】
略円形の底部と上端を開口した略円筒状の胴部とからなる軟質プラスチック製の可撓性を有する袋体と、該袋体の上端に嵌入され嵌入部外周縁で固着される硬質プラスチック製の蓋体とからなる医療排液回収容器において、前記袋体の底部が、前記略円筒状の胴部の下端周縁を袋体の内側方向に折曲形成した溶着縁と略円形の底部部材の外周端縁とを溶着して形成されることを特徴とする医療排液回収容器用袋体。
【発明の詳細な説明】
【技術分野】
【０００１】
本発明は、医療現場の手術或いは処置等によって排出される、廃棄の必要な血液やその他の体液、患部或いは創部の洗浄に用いられた生理食塩水等の液状廃棄物を吸引する装置に使用する医療排液回収容器用袋体に関する。
【背景技術】
【０００２】
医療現場特に外科手術或いは処置等によって排出される、廃棄の必要な血液やその他の体液、患部或いは創部の洗浄に用いられた生理食塩水等の液状廃棄物は、吸引装置によって所定の容器に集められて廃棄され、容器は洗浄されて再利用されていたが、このような廃棄物には感染性の高い細菌等が含まれている場合も有り、洗浄時の取り扱いや容器の破損などによって廃棄物が漏出する事態においては、医療従事者や患者への二次感染の惧れがある為、近時においては、中空室を設けた吸引容器内に袋体等を配設し、袋体等に液状廃棄物を吸引収集し、収集後は袋体等のみを離脱させて廃棄或いは焼却する方法が用いられている。また、吸引収集と同時或いは収集後に固化剤（凝固剤）を用いて液状廃棄物を固化し、漏出の危険性を減じる方法等も用いられている（例えば、特許文献１参照）。
【特許文献１】特開２００１−１９０６０８号公報
【０００３】
前記文献に示された袋体（ライナー）は、「低密度ポリエチレン製で可撓性の円筒形の透明な袋４の開口部に円形のプラスチック製の蓋３を熱溶着して一体化したものである。」、また「袋４の開口端部は蓋３の鍔部３ｂの幅に応じた幅を有する鍔部４ａが形成されている。」と述べられているので、記述から想定される袋体の製造方法としてはブロー成型法等が考えられる。ブロー成型法によって得られる袋体は、鍔部、胴部及び底部が一体に形成される成型体であるので、医療排液回収容器用袋体に要求される袋体全体及び各部位の強度に優れている反面、胴部の剛性が有る為比較的に屈曲しづらく折り畳み難い点や製造上コスト高となり経済性に劣る欠点がある。また例えば高周波ウェルダ法によって得られる袋体では、胴部の屈曲性に優れ折り畳み易い反面、図６（ａ）及び（ｂ）に示すように、一般に行われてきた胴部と底部との接合部分が溶断処理によって形成され溶着幅（図中、ハッチング部分）が狭いものであり、医療排液回収容器用袋体に要求される強度として、部分的に弱化する箇所が生じ落下等の衝撃による破袋の惧れがあるばかりでなく、接合作業は個別の手作業が必要で、製造上コスト高となり経済性に劣る欠点もあった。
【発明の開示】
【発明が解決しようとする課題】
【０００４】
そこで、本発明の目的は、上記問題を解決するためになしたものであって、袋体胴部と底部との接合を改良し、胴部と底部における部分強度を上げると共に、生産性が向上し経済性にも優れた医療排液回収容器用袋体を提供することにある。
【課題を解決するための手段】
【０００５】
上記課題を解決するため、請求項１の発明は、略円形の底部と上端を開口した略円筒状の胴部とからなる軟質プラスチック製の可撓性を有する袋体と、該袋体の上端に嵌入され嵌入部外周縁で固着される硬質プラスチック製の蓋体とからなる医療排液回収容器において、前記袋体の底部が、前記略円筒状の胴部の下端周縁を袋体の内側方向に折曲形成した溶着縁と略円形の底部部材の外周端縁とを溶着して形成されることを特徴とする医療排液回収容器用袋体である。
【発明の効果】
【０００６】
本発明の医療排液回収容器用袋体は、略円筒状の胴部の下端周縁を袋体の内側方向に折曲形成した溶着縁と略円形の底部部材の外周端縁とを溶着して底部を形成することにより、袋体胴部と底部との接合部分の強度が上がると共に生産性が向上するので、経済性にも優れた袋体を供給することが出来るという効果がある。
【発明を実施するための最良の形態】
【０００７】
上記本発明について、図面等を用いて以下に詳述する。図１は本発明に係る医療排液回収容器用袋体の実施例の説明用斜視図。図２（ａ）は同じく実施例の胴部ブランクの展開平面図。図２（ｂ）は同じく実施例の底部部材の展開平面図。図３は同じく実施例の袋体の製造途中状態を示す工程説明用概略断面図。図４（ａ）は同じく実施例の成型蓋体を取り着ける状態を示す分解斜視図。図４（ｂ）は同じく実施例の成型蓋体の取り着け状態を示す説明用部分拡大断面図。図４（ｃ）は同じく実施例のユニットの折り畳み状態を示す斜視図。図５は同じく実施例の医療排液回収容器のセッティング状態を示す説明図。図６（ａ）は従来の高周波ウェルダ加工による袋体の胴部と底部との接合状態を底部方向から見た一部拡大斜視図。図６（ｂ）は図６（ａ）の部分断面図である。
【０００８】
図１は本発明に係る医療排液回収バッグ用袋体の実施例の説明用斜視図であって、医療廃液回収容器用袋体Ａは、ＬＤＰＥ（低密度ポリエチレン）等合成樹脂製シート材を用いて、図１に示すように上縁が開口し、上向きに開いたテーパ付き円筒状の胴部１と閉鎖された底部２で構成される略カップ形状の袋体Ａである。尚、図中のハッチング部分は熱接着部分を示している。
図２（ａ）は同じく実施例の胴部ブランクの展開平面図。図２（ｂ）は同じく実施例の底部部材の展開平面図であって、扇型の胴部ブランクＥを巻き回し、該胴部ブランクＥの両側端１ａ、１ｂの重合部を封筒貼り状態に熱接着して上向きに開いたテーパ付き円筒状の胴部１を形成し、該胴部１の下端周縁を袋体Ａ内側方向に折り曲げて溶着縁３とし、該溶着縁３と略円形の底部部材Ｆの外周端縁とを熱接着して閉鎖し底部２を形成するものである。尚、図２（ａ）のブランクＥの下端点線部は溶着縁３形成の折り曲げ予定線を示している。
【０００９】
図３（ａ）、（ｂ）、（ｃ）は同じく実施例の袋体の製造途中状態を示す工程説明用概略断面図であって、袋体Ａの製作にあたっては、前述のようにＬＤＰＥ（低密度ポリエチレン）等合成樹脂製シート材を打抜いて形成される扇型の胴部ブランクＥが、図３（ａ）に示すように、テーパ付き円筒状の支受部材Ｍに巻き回され、前記ブランクＥの両側端１ａ、１ｂの重合部を封筒貼り状態に溶着加工してテーパ付き円筒状の胴部１を形成し、次に図３（ｂ）に示すように、前記胴部１の下端周縁を袋体Ａ内側方向に折り曲げて溶着縁３とし、図３（ｃ）に示すように、前記溶着縁３と略円形の底部部材Ｆの外周端縁とを溶着加工して閉鎖し底部２を形成する。
前記胴部１の下端周縁を袋体Ａ内側方向に折り曲げて形成した溶着縁３は、胴部１と底部２との接合強度に応じた溶着部分に必要な折り曲げ幅とすることができ、溶着幅（熱接着部分）を従来技術に比して広く設けることが可能であり、溶着幅が狭い為に起こる部分的な弱化や落下等の衝撃による破袋の危険性を低減し、医療排液回収容器に要求される袋体の十分な強度を得ることが出来るばかりでなく、図６の従来技術に見られるような溶断処理部分の張り出しが無い為、後述する吸引用外容器Ｄへの内装に際し抵抗が生じず、より内接して排液回収の効率を良くすることが出来る。又、胴部１と底部２との接合を自動化することによって、製造時間の短縮によるコストの低減を図ることも可能である。
【００１０】
図４（ａ）は同じく実施例の成型蓋体を取り着ける状態を示す分解斜視図、図４（ｂ）は同じく実施例の成型蓋体の取り着け状態を示す説明用部分拡大断面図であって、成型蓋体Ｂは、略円形の天板５と、該天板５の周縁に立設され袋体Ａの上縁開口部に嵌入される嵌入縁４と、該嵌入縁４の上端周縁に連続して外側水平方向に突出する周鍔部６とから構成され、前記天板５の中央部には中央口７ａを貫通形成した中央周壁７が突設され、該中央周壁７の周辺所定位置に吸引口８ａを穿設した吸引管８と吸気口９ａを穿設した吸気管９が設けられると共に、前記周壁７から前記嵌入縁４の内壁に渉って放射状に複数の補強リブが立設されている。尚、前記中央口７ａには排液凝固剤封入体或いは密閉蓋を取り付けることが出来るが、必要の無い場合前記中央口７ａを省略することも可能である。また、リングホルダーＣは、環状の挟持縁１０と、該挟持縁１０の上端周縁に連続して外側水平方向に突出する周鍔部１１とから構成され、さらに前記挟持縁１０の外周面には環状突片１２、１２が上下二段に突設されている。
【００１１】
成型蓋体Ｂの嵌入縁４が嵌入された袋体Ａの上縁開口部は、加圧及び加熱によって前記嵌入縁４の外周に溶着され、成型蓋体Ｂと袋体Ａが接合される。さらに、前記接合部分である成型蓋体Ｂの嵌入縁４の外周には前記袋体Ａの上縁開口部を介在して、リングホルダーＣの環状の挟持縁１０が嵌合されると共に周鍔部１１が前記成型蓋体Ｂの周鍔部６の下端に当接して固定されている。前述のように構成された医療排液回収ユニットＧは、収納或いは搬送時には、図４（ｃ）に示すように、袋体Ａの胴部１が捻転されることにより天地間すなわち成型蓋体Ｂと底板２間の方向に折り畳んで使用することができる。
【００１２】
図５は同じく実施例の医療排液回収容器のセッティング状態を示す説明図であって、医療排液回収ユニットＧは吸引用外容器Ｄの上方開口部から挿入され、前記医療排液回収ユニットＧを構成するリングホルダーＣの周鍔部１１の下縁が前記吸引用外容器Ｄの上縁に当接すると共に、同じくリングホルダーＣの環状突片１２、１２が前記吸引用外容器Ｄの上端縁内周部に当接して施蓋状態にセットされ、次に医療排液回収ユニットＧの吸引管８に排液吸引用のチューブ（図示略）を接続し、吸気管９に真空発生装置等と繋がるバキュームホース（図示略）を接続して排液回収の為のセッティングを完了する。
【００１３】
手術或いは処置等によって排出される廃棄の必要な血液やその他の体液、患部或いは創部の洗浄に用いられた生理食塩水等の排液は、排液吸引用のチューブから吸引され、医療排液回収ユニットＧの袋体Ａ内に回収される。図５に示したように、あらかじめ排液凝固剤封入体Ｈを取り付けたものでは、操作により凝固剤を散布させて袋体Ａ内の排液を凝固させ、或いは排液凝固剤封入体等を取り付けていないものでは、別途用意された凝固剤を中央口から投入して同じく袋体Ａ内の排液を凝固させた後、蓋等で再密閉して、その後、吸引用外容器Ｄから前記医療排液回収ユニットＧを外して、焼却処理を行うものである。
【図面の簡単な説明】
【００１４】
【図１】本発明に係る医療排液回収容器用袋体の実施例の説明用斜視図。
【図２】（ａ）同じく実施例の胴部ブランクの展開平面図。              （ｂ）同じく実施例の底部部材の展開平面図。
【図３】同じく実施例の袋体の製造途中状態を示す工程説明用概略断面図。
【図４】（ａ）同じく実施例の成型蓋体を取り着ける状態を示す分解斜視図。              （ｂ）同じく実施例の成型蓋体の取り着け状態を示す説明用部分拡大断面図。              （ｃ）同じく実施例のユニットの折り畳み状態を示す斜視図。
【図５】同じく実施例の医療排液回収容器のセッティング状態を示す説明図。
【図６】（ａ）従来の高周波ウェルダ加工による袋体の胴部と底部との接合状態を底部方向から見た一部拡大斜視図。              （ｂ）図６（ａ）の部分断面図。
【符号の説明】
【００１５】
Ａ      袋体
Ｂ      成型蓋体
Ｃ      リングホルダー
Ｄ      吸引用外容器
Ｅ      胴部ブランク
Ｆ      底部部材
Ｇ      医療排液回収ユニット
Ｈ      凝固剤封入体
Ｍ      支受部材
１      胴部
１ａ、１ｂ      胴部側端
２      底部
３      溶着縁
４      嵌入縁
５      天板
６      周鍔部
７      中央周壁
７ａ    中央口
８      吸引管
８ａ    吸引口
９      吸気管
９ａ    吸気口
１０      挟持縁
１１      周鍔部
１２      環状突片
【図１】
2006175015.tif 000003
【図２】
2006175015.tif 000004
【図３】
2006175015.tif 000005
【図４】
2006175015.tif 000006
【図５】
2006175015.tif 000007
【図６】
2006175015.tif 000008